(57)【要約】【課題】扇部に描かれた絵柄等が正しい姿勢で壁面等に飾ることのできる飾りうちわを提供する。【解決手段】飾りうちわ１ａの外周縁を形成する外枠上にあって把持部２００ａと反対側の位置に、孔を有する突起体を一体に突設する。飾りうちわ１ａを壁面等に展示するときは、予め壁面等に設けたフックに掛けるか、固定用のピン等を孔に通しながら壁面等に刺して飾りうちわ１ａを固定する。通常扇部１０ａ上の絵柄等は、把持部２００ａを下にしたとき直立するように描かれていることから、前記飾りうちわ１ａの固定方法によれば、扇部１０ａに描かれた絵柄等は、正しい姿勢で飾られることになる。【選択図】図１
0003194135.tif 000002
【実用新案登録請求の範囲】
【請求項１】
薄板状の面から形成される絵柄等が表示された扇部と、この扇部の外縁を支持する合成樹脂製の外枠と、この外枠と一体に形成された把持部と、前記外枠と一体に形成された扇骨とからなる飾りうちわであって、前記把持部と反対側の位置に、孔を有する少なくとも一つの突起体を前記外枠の外周縁と一体に突設したことを特徴とする飾りうちわ。
【請求項２】
前記外枠に突設された突起体が、複数個であることを特徴とする請求項１に記載の飾りうちわ。
【請求項３】
前記外枠に、前記把持部が外側に向かって延設されていることを特徴とする請求項１もしくは２に記載の飾りうちわ。
【請求項４】
前記把持部が、前記外枠の一部とこの外枠の内側に設けられた指挿入孔とから構成されていることを特徴とする請求項１もしくは２に記載の飾りうちわ。
【考案の詳細な説明】
【技術分野】
【０００１】
本考案は、孔を有する突起体が設けられた飾りうちわに関するものである。
【背景技術】
【０００２】
市販等されているうちわには、扇ぐことで風を誘起する薄板状の面からなる扇部が備わっており、その表面には絵柄や文字等が描かれていることが多い。このうち、アニメーションのキャラクターやアイドルグループメンバーの肖像等が扇部表面に描かれたうちわは、単に扇いで使用する一般的なうちわとしての用途の他に、キャラクターグッズやブロマイドとしてのいわゆる飾りうちわとして飾ることも考えられる。
【０００３】
この飾りうちわを部屋の壁面等に飾るにあたり、扇部に描かれた絵柄等を正しい姿勢で固定することが求められるものの、従来のうちわには所望の位置で固定するための装備が設けられていない。そこで、飾りうちわを所望の位置に配置して固定する方法として、飾りうちわに描かれた絵柄を正しい姿勢としたうえで扇部上部を直接ピン留めする方法や、透明なカバーに入れた飾りうちわを所望の位置に配置したのちカバーの上からピン留めするといった方法が考えられる。
【考案の概要】
【考案が解決しようとする課題】
【０００４】
前記飾りうちわに描かれた絵柄を正しい姿勢で固定する従来の方法のうち、扇部を直接ピン等で刺して固定する方法においては、飾りうちわに描かれたキャラクターやアイドルグループメンバーの肖像を傷つけるといった問題がある。また、カバーで覆った飾りうちわをカバーの上からピン留めする方法においては、面倒な手間がかかるといった問題がある。
【０００５】
本考案では、これらの問題を解決することを課題とするものであり、扇部を直接ピン等で刺したり、扇部をカバーで覆わなくとも、扇部に描かれた絵柄等を正しい姿勢で壁面等に固定することのできる飾りうちわを提供することを目的とする。
【課題を解決するための手段】
【０００６】
前記課題を解決するための本考案は、薄板状の面から形成される絵柄等が表示された扇部と、この扇部の外縁を支持する合成樹脂製の外枠と、この外枠と一体に形成された把持部と、前記外枠と一体に形成された扇骨とからなる飾りうちわであって、前記把持部と反対側の位置に、孔を有する少なくとも一つの突起体を前記外枠の外周縁と一体に突設したことを特徴とするものである。
【０００７】
また、前記課題を解決するための本考案は、前記外枠に突設された突起体が、複数個であってもよい。
【０００８】
また、前記課題を解決するための本考案は、前記特徴に加え、前記外枠に、前記把持部が外側に向かって延設されている飾りうちわであってもよい。
【０００９】
また、前記課題を解決するための本考案は、前記特徴に加え、前記把持部が、前記外枠の一部分とこの外枠の内側に設けられた指挿入孔とから形成されている飾りうちわであってもよい。
【考案の効果】
【００１０】
本考案に係る飾りうちわによれば、孔を有する突起体が外枠に突設されていることから、壁面等のフックに直接掛けたり、固定用のピンをこの孔に通しながら壁面等に刺すことで、扇部に傷を付けることなく飾りうちわを壁面等に固定することができる。また前記孔を有する突起体は、把持部と反対の位置に突設されているため、この孔を上に把持部を下にして飾りうちわを固定することができる。ここで、扇部上の絵柄や肖像等は、通常把持部を下にしたとき直立するように描かれていることから、飾りうちわを前記位置関係で壁面等に固定すれば、扇部に描かれた絵柄等を正しい姿勢で飾ることができる。
【００１１】
前記突起体が外枠に複数個設けられている場合には、複数のピン等を用いてより強固に固定することができる。
【００１２】
また、前記突起体が外枠に複数個設けられている場合には、複数の位置をピン留めすることができるため、扇部に描かれた絵柄や肖像等を様々な角度に傾けるなどの多様な飾り方ができる。
【００１３】
さらに、本考案に係る飾りうちわは、前記孔を有する突起体をはじめとする全ての構成要素が、適度な強度と弾性を有しかつ加工性に優れ素材原価が低廉な合成樹脂によって一体に成形されている。したがって、前記効果を有する飾りうちわを従来品と大差のない価格で提供することができる。
【図面の簡単な説明】
【００１４】
【図１】本考案に係る第一の実施の形態における飾りうちわの正面図である。
【図２】本考案に係る第一の実施の形態における飾りうちわの骨組の正面図である。
【図３】本考案に係る第二の実施の形態における飾りうちわの正面図である。
【図４】本考案に係る第二の実施の形態における飾りうちわの骨組の正面図である。
【考案を実施するための形態】
【００１５】
以下に、本考案に係る飾りうちわの実施の形態について説明する。なお、図１および図２に基づき孔を有する１つの突起体が設けられた第一の実施の形態を説明し、図３および図４に基づき孔を有する２つの突起体が設けられた第二の実施の形態を説明する。
【００１６】
また、説明中の上下左右および前後の関係については、特に記載のない限り、扇部に描かれている絵柄等が正面を向いて直立する位置に飾りうちわを配置した状態を基準に定めるものとする。
【００１７】
図１において符号１ａで示す飾りうちわは、通常よく知られているうちわと同様に、薄板状の面から形成される扇部１０ａと、この扇部１０ａが容易に撓まないように支持する骨組１００ａと、手で把持するための把持部２００ａとを主要な要素として構成されている。
【００１８】
扇部１０ａは、例えば糊によって骨組１００ａの表裏に貼り付けられている。また、図１および図２に示すように、骨組１００ａの下部中央から下方に向かって把持部２００ａが延設されている。骨組１００ａと把持部２００ａとは、適度な強度・剛性と弾性を兼ね備え、かつ加工性に優れて素材原価が低廉な合成樹脂からなり、例えば射出成形によって一体に成形されている。
【００１９】
前記扇部１０ａは、例えば薄紙からなり、その形状は、図１に示すように、上方がやや広がった略円形状を呈し、表面には猫のキャラクターＡが描かれている。
【００２０】
前記骨組１００ａは、図２に示すように、前記扇部１０ａの外縁を支持する外枠１１０ａと、この外枠１１０ａの内側に設けられ前記扇部１０ａの腹部を支持する扇骨１２０ａとから構成されている。
【００２１】
前記外枠１１０ａは、図１および図２に示すように、前記扇部１０ａの形状に倣った外形を呈し、飾りうちわ１ａの外周縁を形成している。また、外枠１１０ａ上部の略中央には突起体１１１ａが外側に向かって一体に突設されている。この突起体１１１ａは、半リング状を呈しており、内側に直径が略１０mmの円形の孔１１２ａが形成されている。なお、突起体１１１ａの形状としては、上記半リング状の他に、完全リング形状や山形をした薄板片に孔が空けられたものであってもよい。突起体１１１ａの厚みは、外枠部１１０ａの厚みと同じである。
【００２２】
前記扇骨１２０ａは、図２に示すように、外枠１１０ａの内側下部から上方に向かって放射状に広がる３７本の細い棒状扇骨１２１ａと、この棒状扇骨１２１ａの下部を束ねるように円弧状を呈する１本の円弧扇骨１２２とから一体に形成されている。棒状扇骨１２１ａの先端および円弧扇骨１２２ａの両端は、いずれも外枠１１０ａと一体に連結しており、これによって骨組１００ａの強度・剛性が高められている。
【００２３】
また、３７本の棒状扇骨１２１ａは、図２に示すように、各々の下方端が一つにまとまることで扇骨収束部１２３を形成している。この扇骨収束部１２３の下部と、前記外枠１１０ａの下部中央と、前記把持部２００ａの上端とは略同じ位置で相互に一体となって連結している。これにより、把持部２００ａを把持しながら扇部１０ａを威勢よく扇いでも、前記骨組１００ａと把持部２００ａとの連結部が容易に折れ曲がることのない十分な強度が確保されている。
【００２４】
上記構成からなる飾りうちわ１ａを室内の壁面等に飾るには、突起体１１１ａを壁面等のフックに掛けたり、突起体１１１ａを上に把持部２００ａを下にして飾りうちわ１ａを配置したのち、突起体１１１ａの孔１１２ａに固定用のピン等を通しながらこれを壁面等に刺す。これにより、飾りうちわ１ａの扇部１０ａに描かれた猫のキャラクターＡは、逆さになることなく正しい姿勢である直立した状態で壁面等に固定される。
【００２５】
なお、把持部２００ａの下部に孔２０１が設けられている場合には、この孔２０１と上記突起体１１１ａに設けられた孔１１２ａとを用いて固定することにより、猫のキャラクターＡを任意の角度に傾けて飾ることができる。
【００２６】
別の実施の形態として、前記孔１１２ａを有する一対の突起体１１１ａを外枠１１０ａの上部に突設した飾りうちわであってもよい。
【００２７】
図３中の符号１ｂで示される飾りうちわは、本考案の第二の実施の形態における飾りうちわである。以下、前記第一の実施の形態に係る飾りうちわ１ａとの相違点を中心に説明する。
【００２８】
飾りうちわ１ｂは、図３に示すように、扇部１０ｂと、骨組１００ｂと、把持部２００ｂとを主な要素として構成されている。
【００２９】
前記扇部１０ｂは、図３に示すように、略円形状を呈しており、表面には猫のキャラクターＢが描かれている。
【００３０】
前記骨組１００ｂは、図４に示すように、外枠１１０ｂと、扇骨１２０ｂから構成されている。
【００３１】
外枠１１０ｂは、飾りうちわ１ｂの外周縁を形成する枠であり、その形状は、前記扇部１０ａの形状に倣った略円形状を呈している。また、外枠部１１０ｂの上部には、図４に示すように、左右線対称となる位置に外側へ向かって一対の突起体１１１ｂが突設されている。この突起体１１１ｂは、前記第一の実施の形態と同様に半リング状を呈しており、内側に直径が略１０mmの円形の孔１１２ｂが形成されている。突起体１１１ｂの形状としては、上記半リング状の他に、完全なリング形状や山形をした薄板片であってもよい。
【００３２】
外枠１１０ｂの下部には略楕円形状を呈した平坦部１１３が内側に向かって盛り上がるようにして形成されている。この平坦部１１３の略中央には、図３および図４に示すように、直径が略３０mmの略円形状を呈した指挿入孔２１０が空けられている。この指挿入孔２１０が空けられた平坦部１１３によって把持部２００ｂが形成され、手で把持しながら扇ぐことができる。
【００３３】
前記扇骨１２０ｂは、２８本の棒状扇骨１２１ａから構成されており、この棒状扇骨１２１ｂの下端は、前記平坦部１１３において外枠１１０ｂと一体に連結している。また、棒状扇骨１２１ｂの上端は、前記平坦部１１３以外の外枠１１０ｂと一体に連結している。外枠１１０ｂと扇骨１２０ｂとが一体に連結することで、骨組１００ｂの強度・剛性が高められている。
【００３４】
上記構成からなる飾りうちわ１ｂを室内の壁面等に固定して飾るには、一対の突起体１１１ｂが上に指挿入孔２１０が下にくるように飾りうちわ１ａを配置したのち、突起体１１１ｂに空けられた一対の孔１１２ｂに固定用のピン等を通しながらこれを壁面等に刺して飾りうちわ１ｂを固定する。２つのピンを用いていることから、１つのピンを用いるときよりも強固に固定することができる。さらに、扇部１０ｂに描かれた猫のキャラクターＢを、直立した状態から任意の角度に傾けた状態まで、様々な形態で飾ることができる。
【００３５】
なお、別の実施の形態として、前記孔１１２ｂを有する一つの突起体１１１ｂを外枠１１０ａの上部中央に突設した飾りうちわであってもよい。
【符号の説明】
【００３６】
１ａ…飾りうちわ、１ｂ…飾りうちわ、１０ａ…扇部、１０ｂ…扇部、１００ａ…骨組、１００ｂ…骨組、１１０ａ…外枠、１１０ｂ…外枠、１１１ａ…突起体、１１１ｂ…突起体、１１２ａ…孔、１１２ｂ…孔、１２０ａ…扇骨、１２０ｂ…扇骨、２００ａ…把持部、２００ｂ…把持部、２１０…指挿入孔。
【図１】
0003194135.tif 000003
【図２】
0003194135.tif 000004
【図４】
0003194135.tif 000005
【図３】
0003194135.tif 000006